(57)【要約】【課題】上部フレームを構成する足部フレーム及び背部フレーム、頭部フレームを一つの起倒手段で所望する起倒角度に起倒することができる起倒ベッドを提供する。【解決手段】起倒ベッド１０を構成する起倒装置４０の起倒軸４２を伸張動作させ、頭部フレーム３４を、利用者の頭部が略斜め上向きとなる姿勢に引き起こした状態に支持される所定の起倒角度θ１に先行して回動及びその角度に回動規制する。続いて、背部フレーム３３の頭部フレーム３４と隣接する側を起倒軸４２の押上げ力で持ち上げ、利用者の頭部を頭部フレーム３４で略斜め上向きとなる安定且つ楽な姿勢に支持したまま、背部フレーム３３及び頭部フレーム３４の全体を、利用者の上半身が略斜め上向きとなる姿勢に引き起こした状態に支持される所望の起倒角度θ２に回動する。【選択図】  図１
2005230377.tif 000002
【特許請求の範囲】
【請求項１】
所望する場所に設置される下部フレームと、該下部フレームで支持される上部フレームと、該上部フレームを所望する起倒角度に起倒する一つの起倒手段とを備えた起倒ベッドであって、
上記上部フレームを構成する足部フレーム及び尻部フレーム、背部フレーム、頭部フレームの隣接側対向端部を互いに上下回動自在に連結し、
上記下部フレーム又は尻部フレームの下面側に枢着した上記起倒手段が伸縮動作する起倒軸と、上記背部フレームの頭部フレームと隣接する側に固定したブラケットとを、上記背部フレーム及び頭部フレームの連結部を支点として該頭部フレームが所定の起倒角度に回動許容される方向に移動可能に連結し、
上記背部フレーム側のブラケットに連結した起倒軸と、上記頭部フレームの背部フレームと隣接する側に固定したブラケットとを連結し、
上記背部フレーム側のブラケットに連結した起倒軸を上記頭部フレームが所定の起倒角度に回動した状態に規制可能に設け、上記尻部フレーム及び背部フレームの連結部を支点として該背部フレームが所望する起倒角度に回動される方向に上記起倒軸の押上げ力を上記背部フレーム側のブラケットに伝達可能に設けた
起倒ベッド。
【請求項２】
上記足部フレームを構成する脹脛部フレームと大腿部フレームとの隣接側端部を互いに上下回動自在に連結し、
上記尻部フレームと上記大腿部フレームとの隣接側端部を互いに上下回動自在に連結し、
上記大腿部フレームの後端側下面部と、上記背部フレームの尻部フレームと隣接する側の後端側下面部とを連結部材で連結した
請求項１記載の起倒ベッド。
【請求項３】
上記起倒手段が伸縮動作する起倒軸の外周面をカバーで覆った
請求項１記載の起倒ベッド。
【発明の詳細な説明】
【技術分野】
【０００１】
この発明は、例えば病人や身障者、老人等を看護及び介護するのに適し、身体（利用者）の背部及び足部、頭部等を所望する角度に起倒可能及び屈曲可能な起倒ベッドに関する。
【背景技術】
【０００２】
従来、上述のベッドとしては、例えばベッド枠体と床板との間に取り付けたアクチュエータを伸張して、頭部当て板を起上し、次いで、背部当て板を起上し、臀部当て板の背部当て板に隣接する側を下げ、上脚部当て板に隣接する側を上げると共に、上脚部当て板と下脚部当て板との連結部を山型に盛り上げて床板を起上する。且つ、アクチュエータを収縮して、床板を下降する特許文献１の床板の起倒自在なベッドがある。
【０００３】
しかし、上述の床板を構成する頭部当て板と背部当て板とをヒンジで連結しているので、頭部当て板をアクチュエータの伸長動作により起上すると、そのヒンジを介して、背部当て板を一緒に起上することができるが、頭部当て板及び背部当て板を連結するヒンジに、利用者の体重及びアクチュエータの伸長力が集中して付与されるため、起倒動作中において、ヒンジが破損するか、回動抵抗が大きくなる等の故障が発生しやすく、必要な強度及び耐久性が得られないという問題点を有している。
【０００４】
【特許文献１】特開平１０−９９１６３号公報。
【発明の開示】
【発明が解決しようとする課題】
【０００５】
この発明は上記問題に鑑み、上記起倒手段が伸縮動作する起倒軸と、上記背部フレームの頭部フレームと隣接する側に固定したブラケットとを、上記頭部フレームが所定の起倒角度に先行して回動される方向に移動可能に連結することにより、上部フレームを構成する足部フレーム及び背部フレーム、頭部フレームを一つの起倒手段で所望する起倒角度に起倒することができる起倒ベッドの提供を目的とする。
【課題を解決するための手段】
【０００６】
この発明は、所望する場所に設置される下部フレームと、該下部フレームで支持される上部フレームと、該上部フレームを所望する起倒角度に起倒する一つの起倒手段とを備えた起倒ベッドであって、上記上部フレームを構成する足部フレーム及び尻部フレーム、背部フレーム、頭部フレームの隣接側対向端部を互いに上下回動自在に連結し、上記下部フレーム又は尻部フレームの下面側に枢着した上記起倒手段が伸縮動作する起倒軸と、上記背部フレームの頭部フレームと隣接する側に固定したブラケットとを、上記背部フレーム及び頭部フレームの連結部を支点として該頭部フレームが所定の起倒角度に回動許容される方向に移動可能に連結し、上記背部フレーム側のブラケットに連結した起倒軸と、上記頭部フレームの背部フレームと隣接する側に固定したブラケットとを連結し、上記背部フレーム側のブラケットに連結した起倒軸を上記頭部フレームが所定の起倒角度に回動した状態に規制可能に設け、上記尻部フレーム及び背部フレームの連結部を支点として該背部フレームが所望する起倒角度に回動される方向に上記起倒軸の押上げ力を上記背部フレーム側のブラケットに伝達可能に設けた起倒ベッドであることを特徴とする。
【０００７】
上述の起倒ベッドは、例えば折り畳み可能及び折り畳んで収納するベッド、或いは、常時設置して使用するベッド等で構成することができる。また、起倒手段は、例えば起倒軸をモータでネジ送りする機構、手動式のハンドル操作でネジ送りする機構、チェーンやクランク、カムで伸縮する機構、或いは、流体圧シリンダやソレノイドのようなアクチュエータ等で構成することができる。
【０００８】
つまり、起倒手段の起倒軸を伸張動作させ、背部フレームと頭部フレームとの連結部を支点として、頭部フレームを、利用者の頭部が略斜め上向きとなる姿勢に引き起こした状態に支持される所定の起倒角度に先行して回動する。続いて、利用者の頭部を頭部フレームで略斜め上向きとなる安定且つ楽な姿勢に支持したまま、背部フレームの頭部フレームと隣接する側を起倒軸の押上げ力で持ち上げ、尻部フレームと背部フレームとの連結部を支点として、背部フレーム及び頭部フレームの全体を、利用者の上半身が略斜め上向きとなる姿勢に引き起こした状態に支持される所望の起倒角度に回動する。
【０００９】
実施の形態として、上記足部フレームを構成する脹脛部フレームと大腿部フレームとの隣接側端部を互いに上下回動自在に連結し、上記尻部フレームと上記大腿部フレームとの隣接側端部を互いに上下回動自在に連結し、上記大腿部フレームの後端側下面部と、上記背部フレームの尻部フレームと隣接する側の後端側下面部とを連結部材で連結することができる。且つ、連結部材は、例えば連結軸やワイヤ、連結板等の所定長さを有する部材又は長さ調節可能な部材で構成することできる。つまり、足部フレームの脹脛部フレームと大腿部フレームとを、利用者の足部が側面視略へ字形に屈曲した状態に支持される屈曲角度に折り曲げる。
【００１０】
また、上記起倒手段が伸縮動作する起倒軸の外周面をカバーで覆うことができる。且つ、軸カバーは、例えば柔軟性及び伸縮性を有する軟質の材質、プラスチックや金属等の硬質の材質で構成することができる。つまり、上部フレームを起倒動作するとき、上部フレーム上に載置される載置物（例えばマットや蒲団等）が起倒軸に接触するか、その載置物の一部が起倒軸に巻き付くか、起倒軸の汚れが載置物に付着するのを防止する。
【発明の効果】
【００１１】
この発明によれば、起倒ベッドを構成する上部フレームの頭部フレームを、利用者の頭部が略斜め上向きとなる姿勢に引き起こした状態に支持される所定の起倒角度に先行して回動するので、背部フレームを起倒動作するとき、利用者の頭部が頭部フレームで安定且つ楽な姿勢に支持され、利用者に与える視力や筋肉の疲労、不快感を解消することができる。且つ、利用者の頭部を頭部フレームで支持したまま、背部フレームの頭部フレームと隣接する側を起倒軸の押上げ力で持ち上げて、背部フレーム及び頭部フレームの全体を、利用者の上半身が略斜め上向きとなる姿勢に引き起こした状態に支持される所望の起倒角度に回動するので、頭部フレームを起倒軸で直接持ち上げるよりも、背部フレームと頭部フレームとの連結部分に付与される応力が小さく、起倒動作中において、ブラケットやヒンジ等の連結部が破損するか、回動抵抗が大きくなる等の故障が発生しにくく、介護用及び看護用ベッドとして必要な強度及び耐久性が得られる。且つ、起倒軸の伸縮ストロークが短くて済むため、起倒手段の小型化及び起倒ベッドの軽量化が図れる。
【発明を実施するための最良の形態】
【００１２】
この発明は、上部フレームを構成する足部フレーム及び背部フレーム、頭部フレームを一つの起倒手段で所望する起倒角度に起倒することができるという目的を、起倒手段が伸縮動作する起倒軸と、背部フレームの頭部フレームと隣接する側に固定したブラケットとを、頭部フレームが所定の起倒角度に先行して回動される方向に移動可能に連結することで達成した。
【実施例】
【００１３】
この発明の一実施例を以下図面に基づいて詳述する。
【００１４】
図面は、上部フレームを構成する足部フレーム及び背部フレーム、頭部フレーム所望する起倒角度に起倒することができる起倒ベッド（又は枕ベッド）を示し、図１、図２に於いて、この起倒ベッド１０は、利用者の頭部側を前部、足部側を後部として使用されるベッドであって、所望する場所に設置される下部フレーム２０と、その下部フレーム２０が支持する上部フレーム３０とで構成される。なお、上部フレーム３０の利用者載上側上面には、例えば柔軟性及び復元性を有する利用者が載上可能なマット３０ａを装着することができる。また、マット３０ａの代わりに、例えば受け板や弾性板等を取り付けることもできる。
【００１５】
上述の下部フレーム２０は、図３にも示すように、平面視略コ字状に形成された利用者の上半身を支持する上半身フレーム２１と、略同一形状に形成された下半身を支持する下半身フレーム２２との隣接側対向両端部をブラケット２３で回動可能に連結して、図１０に示すように、起倒ベッド１０全体を略逆Ｖ字状に折り畳み可能に設けている。
【００１６】
且つ、前面視略門形状の前側支持脚２１ａを上半身フレーム２１の前端側中央部に取り付け、前側支持脚２１ａの上端側を、例えば枕や蒲団等の落下が防止される高さに上半身フレーム２１よりも上方に突き出すると共に、キャスタ２１ｂ，２１ｂを前側支持脚２１ａの下端側両端部に取り付け、キャスタ２１ｃを前側支持脚２１ａの上端側中央部に前方側に突き出した状態に取り付けている。
【００１７】
且つ、側面視略上下逆Ｔ字状の後側支持脚２２ａを、下半身フレーム２２に後端側両側部に取り付け、キャスタ２２ｂ，２２ｂを後側支持脚２２ａの下端側前後部に取り付け、側面視略Ｉ字状の中間支持脚２３ａを、上半身フレーム２１及び下半身フレーム２２を連結するブラケット２３の下端側中央部に取り付けている。
【００１８】
且つ、側面視略楕円形状のハンドル２２ｃを下半身フレーム２２の両側縁部に沿って上方に突き出した状態に取り付け、起倒ベッド１０全体の折り畳み動作を容易にするための付勢バネ２４を、上半身フレーム２１の前端部及び下半身フレーム２２の後端部と、中間支持脚２３ａ，２３ａの下端部間に架設した中間フレーム２３ｂとの間に張架している。
【００１９】
前述の上部フレーム３０は、図４にも示すように、下部フレーム２１と略同一となる横幅に形成した利用者の足部を支持する足部フレーム３１と、尻部を支持する尻部フレーム３２と、背部を支持する背部フレーム３３と、頭部を支持する頭部フレーム３４とで構成される。
【００２０】
上述の足部フレーム３１は、利用者の足の膝部よりも下側脹脛部を支持する脹脛部フレーム３１ａと、足の膝部よりも上側大腿部を支持する大腿部フレーム３１ｂとの隣接側対向端部をブラケット３１ｃで互いに上下回動可能に連結して、脹脛部フレーム３１ａ及び大腿部フレーム３１ｂを、利用者の膝部が側面視略へ字状に屈曲した状態に支持される角度と、略真っ直ぐに伸ばした状態に支持される角度との間で、利用者の要望に応じて所望する屈曲角度に回動調節自在に設けている。
【００２１】
且つ、大腿部フレーム３１ｂと尻部フレーム３２との隣接側対向端部をブラケット３１ｄで互いに上下回動可能に連結（又は枢着、支持する等）して、大腿部フレーム３１ｂを、利用者の大腿部が略斜め上向きとなる姿勢に引き起こした状態に支持される角度と、略真っ直ぐに伸ばした状態に支持される角度との間で、利用者の要望に応じて所望する屈曲角度に回動調節自在に設けている。
【００２２】
且つ、尻部フレーム３２は、下部フレーム２０の略中間部に相当する上半身フレーム２１の下半身フレーム２２と隣接する側の後端側上面に固定され、その尻部フレーム３２と背部フレーム３３との隣接側対向端部をブラケット３５で互いに上下回動可能に連結して、図７にも示すように、背部フレーム３３全体を、利用者の上半身が略斜め上向きとなる姿勢に引き起こした状態に支持される角度と、略水平となる姿勢に引き倒された状態に支持される角度との間で、利用者の要望に応じて所望する起倒角度θ２（例えば略０度以上〜略８０度以下の範囲に含まれる角度）に無段階に回動調節自在に設けている。
【００２３】
且つ、背部フレーム３３と頭部フレーム３４との隣接側対向端部をブラケット３６で互いに上下回動可能に連結して、図５、図６にも示すように、頭部フレーム３４全体を、背部フレーム３３に対して利用者の頭部が略斜め上向きとなる姿勢に引き起こした状態に支持される角度と、背部フレーム３３に対して略真っ直ぐとなる姿勢に引き倒された状態に支持される角度との間で、背部フレーム３３を基準とする頭部フレーム３４の起倒角度θ１を、利用者の要望に応じて所望する起倒角度（例えば略２５，３９度、略３５，３９度）に回動調節自在に設けている。また、頭部フレーム３４の起倒角度を、例えば略２５度以下及び略３５度以上の角度に変更することも可能である。
【００２４】
前述の尻部フレーム３２の下面側中央部に取り付けた起倒装置４０は、図８、図９にも示すように、減速機付き駆動ユニット４１の後端部を、尻部フレーム３２（又は下部フレーム２０）の下面側中央部に取り付けたブラケット３２ａに上下回動可能に連結し、駆動ユニット４１の軸受け部４１ｂに伸縮可能自在に軸受された起倒軸４２の前端部を、背部フレーム３３の頭部フレーム３４と隣接する側の前端側下面中央部に取り付けたブラケット３３ａに連結して、頭部フレーム３４が所定の起倒角度に先行して回動される方向に前後移動可能及び上下回動可能に設けると共に、前述の脹脛部フレーム３１ａの後端側下面中央部に取り付けたブラケット３１ｅと、背部フレーム３３の尻部フレーム３２と隣接する側の後端側下面中央部に取り付けたブラケット３３ｅとを連結軸４６（又はワイヤ、連結板等）で連結している。また、連結軸４６の長さを調節可能に設けると、足部フレーム３１を構成する脹脛部フレーム３１ａ及び大腿部フレーム３１ｂの屈曲角度を可変調節することができる。
【００２５】
且つ、駆動ユニット４１に備えられた電動式のモータ４１ａは、起倒軸４２を長さ方向にネジ送りして所望する長さに伸縮動作し、上部フレーム３０及びマット３０ａの下面側と対向及び軸受け部４１ｂから突き出する起倒軸４２の伸縮側外周面を略筒状の軸カバー４２ａで覆っている。なお、軸カバー４２ａは、柔軟性及び伸縮性を有する軟質の材質、プラスチックや金属等の硬質の材質で構成することができる。また、モータ４１ａの代わりに、例えば手動式のハンドル操作で起倒軸４２をネジ送りすることもできる。
【００２６】
且つ、起倒軸４２の前端部は、ブラケット３３ａの両側縁部に形成した一対の支持片３３ｂ，３３ｂ間に挿入され、その起倒軸４２の前端部と、支持片３３ｂ，３３ｂの外側に取り付けられる連結板４３，４３の後端部とを連結部材４４（又はボルトやピン等）で上下回動可能に連結している。且つ、起倒軸４２の前端部径方向に突出する連結部材４４の両端部を、ブラケット３３ａの支持片３３ｂ，３３ｂに形成した長孔３３ｃ，３３ｃに係止して、頭部フレーム３４が所定の起倒角度に回動許容される方向に前後移動可能及び上下回動可能に連結し、連結板４３，４３の前端部と、頭部フレーム３４の背部フレーム３３と隣接する側の後端側下面中央部に取り付けたブラケット３４ａの両端部とを連結部材４５で上下回動可能に連結している。なお、長孔３３ｃ，３３ｃは、背部フレーム３３及び頭部フレーム３４を連結するブラケット３６を支点として、頭部フレーム３４が利用者の頭部が略斜め上向きとなる姿勢に引き起こした状態に支持される角度と、背部フレーム３３に対して略真っ直ぐとなる姿勢に引き倒された状態に支持される角度とに回動許容される長さに形成している。
【００２７】
図示実施例は上記の如く構成するものにして、以下、起倒ベッド１０を構成する上部フレーム３０の起倒動作を説明する。
【００２８】
先ず、起倒装置４０を構成する駆動ユニット４１のモータ４１ａを正回転して、起倒軸４２を伸方向（又は突出方向）にネジ送りすると共に、起倒軸４２に取り付けた連結部材４４を、背部フレーム３３に取り付けたブラケット３３ａの支持片３３ｂ，３３ｂに形成した長孔３３ｃ，３３ｃに沿って前端側に移動させながら、背部フレーム３３及び頭部フレーム３４を連結するブラケット３６を支点として、図５、図６に示すように、頭部フレーム３４全体を、利用者の頭部が所定の起倒角度に引き起こされる方向に先行して回動する。且つ、起倒軸４２に取り付けた連結部材４４を、支持片３３ｂ，３３ｂに形成した長孔３３ｃ，３３ｃの前端側縁部に当接及び位置規制して、頭部フレーム３４全体を、利用者の頭部が略斜め上向きとなる姿勢に引き起こした状態に支持される起倒角度θ１に回動規制する。なお、頭部フレーム３４の起倒角度は、長孔３３ｃ及び連結板４３の長さに応じて変更することができる。
【００２９】
続いて、図８、図９に示すように、起倒軸４２の前端部に取り付けた連結部材４４がブラケット３３ａの支持片３３ｂ，３３ｂに形成した長孔３３ｃ，３３ｃの前端側縁部に当接し、ブラケット３３ａに連結した起倒軸４２の前端部が頭部フレーム３４を所定の起倒角度に回動した状態に規制されると、起倒軸４２の押上げ力が背部フレーム３３のブラケット３３ａに直接伝達される。且つ、起倒軸４２の伸張動作により、ブラケット３３ａを介して、背部フレーム３３の頭部フレーム３４と隣接する側が起倒軸４２の押上げ力で持ち上げられ、利用者の頭部を頭部フレーム３４で略斜め上向きとなる安定且つ楽な姿勢に支持したまま、尻部フレーム３２及び背部フレーム３３を連結するブラケット３５を支点として、背部フレーム３３及び頭部フレーム３４の全体が、利用者の上半身が引き起こされる方向に回動する。且つ、モータ４１ａの駆動を停止すると、起倒軸４２の伸縮長さに応じて、背部フレーム３３及び頭部フレーム３４の全体を、図７にも示すように、利用者の上半身が略斜め上向きとなる姿勢に引き起こした状態に支持される起倒角度θ２に回動停止する。
【００３０】
且つ、背部フレーム３３の起倒動作に連動して、背部フレーム３３に取り付けたブラケット３３ｅが前方に回動するため、足部フレーム３１の脹脛部フレーム３１ａ及び大腿部フレーム３１ｂが連結軸４６で前方に向けて徐々に引き寄せられ、脹脛部フレーム３１ａ及び大腿部フレーム３１ｂを連結するブラケット３１ｃ，３１ｄを支点として、脹脛部フレーム３１ａ及び大腿部フレーム３１ｂの全体が、利用者の足部が所望する角度に屈曲される方向に折り曲げられると共に、背部フレーム３３の起倒角度に応じて、足部フレーム３１全体を、図１、図３に示すように、利用者の足部が側面視略へ字形に屈曲した状態に支持される屈曲角度に折り曲げることができる。
【００３１】
一方、モータ４１ａを逆回転して、起倒軸４２を縮方向（又は没入方向）にネジ送りすると、図２に示すように、上部フレーム３０を構成する足部フレーム３１及び尻部フレーム３２、背部フレーム３３、頭部フレーム３４が下部フレーム２０と略平行する水平姿勢に復帰する。なお、モータ４１ａの駆動及び停止、正逆回転は、有線式及び無線式コントローラ（図示省略）に配列したＯＮ・ＯＦＦスイッチと、正逆転スイッチとにより制御するので、上部フレーム３０を構成する足部フレーム３１及び背部フレーム３３、頭部フレーム３４を、利用者の要望に応じて所望する起倒角度に無段階調節することができる。
【００３２】
以上のように、起倒ベッド１０を構成する上部フレーム３０の頭部フレーム３４を、利用者の頭部が略斜め上向きとなる姿勢に引き起こした状態に支持される所定の起倒角度θ１に先行して回動するので、背部フレーム３３を起倒動作するとき、利用者の頭部が頭部フレーム３４で安定且つ楽な姿勢に支持され、利用者に与える視力や筋肉の疲労、不快感を解消することができる。且つ、利用者の頭部を頭部フレーム３４で支持したまま、背部フレーム３３の頭部フレーム３４と隣接する側を起倒軸４２の押上げ力で持ち上げ、背部フレーム３３及び頭部フレーム３４の全体を、利用者の上半身が略斜め上向きとなる姿勢に引き起こした状態に支持される所望の起倒角度θ２に回動するので、頭部フレーム３４を起倒軸４２で直接持ち上げるよりも、背部フレーム３３と頭部フレーム３４とを連結するブラケット３６に付与される応力が小さく、起倒動作中において、ブラケット３６やヒンジ等の連結部材が破損するか、回動抵抗が大きくなる等の故障が発生しにくく、介護用及び看護用ベッドとして必要な強度及び耐久性が得られる。
【００３３】
且つ、駆動ユニット４１の軸受け部４１ｂから突き出する起倒軸４２の外周面を軸カバー４２ａで覆っているので、上部フレーム３０を起倒動作するとき、上部フレーム３０上に載置されるマット３０ａが起倒軸４２に接触するか、そのマット３０ａの一部が起倒軸４２に巻き付くか、起倒軸４２の汚れがマット３０ａに付着する等を防止することができる。且つ、起倒軸４２の伸縮ストロークが短くて済むため、起倒装置４０の小型化及び起倒ベッド１０の軽量化が図れるだけでなく、起倒ベッド１０を構成する上部フレーム３０の足部フレーム３１及び背部フレーム３３、頭部フレーム３４を一つの起倒装置４０で所望する起倒角度に起倒するので、起倒ベッド１０全体の構造及び構成が簡素化され、組立て作業が簡単且つ容易に行えると共に、製作費の低減を図ることができる。
【００３４】
この発明の構成と、上述の実施例との対応において、  
この発明の起倒手段は、実施例の起倒装置４０に対応し、  
以下同様に、  
連結部材は、連結軸４６に対応するも、  
この発明は、上述の実施例の構成のみに限定されるものではない。
【図面の簡単な説明】
【００３５】
【図１】起倒ベッドを構成する上部フレームの起倒状態を示す側面図。
【図２】上部フレームを倒した状態を示す側面図。
【図３】上部フレームの起倒状態を示す斜視図。
【図４】上部フレームの倒れ状態を示す平面図。
【図５】頭部フレームの倒れ状態を示す側面図。
【図６】頭部フレームの起倒状態を示す側面図。
【図７】背部フレーム及び頭部フレームの起倒状態を示す側面図。
【図８】起倒装置の起倒動作を示す拡大側面図。
【図９】起倒軸の連結部分を示す拡大斜視図。
【図１０】起倒ベッドの折り畳み状態を示す側面図。
【符号の説明】
【００３６】
１０…起倒ベッド
２０…下部フレーム
３０…上部フレーム
３１…足部フレーム
３１ａ…脹脛部フレーム
３１ｂ…大腿部フレーム
３２…尻部フレーム
３３…背部フレーム
３４…頭部フレーム
３３ａ…ブラケット
３３ｃ…長孔
４０…起倒装置
４２…起倒軸
４２ａ…軸カバー
４３…連結板
４６…連結軸
【図１】
2005230377.tif 000003
【図２】
2005230377.tif 000004
【図３】
2005230377.tif 000005
【図４】
2005230377.tif 000006
【図５】
2005230377.tif 000007
【図６】
2005230377.tif 000008
【図７】
2005230377.tif 000009
【図８】
2005230377.tif 000010
【図９】
2005230377.tif 000011
【図１０】
2005230377.tif 000012